(57)【特許請求の範囲】
【請求項１】
第１使用形態と第２使用形態とを有する紐付きシート状グッズであって、
前記紐付きシート状グッズは、シート状の本体と、前記本体の複数の穴部に挿通される紐体とを備え、
前記紐体を引っ張ることにより、前記第１使用形態から前記第２使用形態に変形可能であり、
前記第１使用形態は、前記紐体が前記本体の前記穴部で屈曲している形態であり、
前記第２使用形態は、前記紐体が引っ張られて直線状となっている形態であり、
前記紐体が引っ張られた前記第２使用形態において、前記本体の前記穴部の周辺に折り目が形成されていないことを特徴とする紐付きシート状グッズ。
【請求項２】
前記本体は、第１のシートと、前記第１のシートと対応する形状の第２のシートとで構成され、
前記第１使用形態では、前記第１のシートの端部の内側面と前記第２のシートの端部の内側面が対向し、
前記第２使用形態では、前記第１のシートの端部の外側面と前記第２のシートの端部の外側面が対向する、請求項１に記載の紐付きシート状グッズ。
【請求項３】
前記第１のシートの端部の一方の側には、第１の穴部が設けられ、
前記第２のシートの端部の一方の側には、前記第１の穴部と対応する位置に第２の穴部が設けられ、
前記第２のシートの端部の他方の側には、第３の穴部が設けられ、
前記第１のシートの端部の他方の側には、前記第３の穴部と対応する位置に第４の穴部が設けられ、
前記紐体は、前記第１使用形態において、
前記第１の穴部で、前記第１のシートの端部の内側面から外側面へ挿通され、
前記第２の穴部で、前記第２のシートの端部の外側面から内側面へ挿通され、
前記第３の穴部で、前記第２のシートの端部の内側面から外側面へ挿通され、
前記第４の穴部で、前記第１のシートの端部の外側面から内側面へ挿通されている、請求項２に記載の紐付きシート状グッズ。
【請求項４】
前記第１のシートと前記第２のシートとは連結されており、
前記第１使用形態では、前記本体が閉じた状態であり、
前記第２使用形態では、前記本体が開いた状態である、請求項２または請求項３に記載の紐付きシート状グッズ。
【請求項５】
前記第１使用形態では、前記本体が閉じた状態でのり付けで封止されており、
前記第２使用形態では、前記封止が解除されて前記本体が開いた状態となる、請求項４に記載の紐付きシート状グッズ。
【請求項６】
前記本体は、折り畳み可能な底面部を備え、
前記第１使用形態では、前記底面部は折り畳まれた状態となっており、
前記第２使用形態では、前記底面部は平面的に展開された状態となる、請求項４に記載の紐付きシート状グッズ。
【請求項７】
前記本体は、折り畳み可能なポップアップ部を備え、
前記第１使用形態では、前記ポップアップ部は折り畳まれた状態となっており、
前記第２使用形態では、前記ポップアップ部は立体的に展開された状態となる、請求項４に記載の紐付きシート状グッズ。
【発明の詳細な説明】
【技術分野】
【０００１】
本発明は、二つの使用形態（第１使用形態と第２使用形態）を有する紐付きシート状グッズに関する。
【背景技術】
【０００２】
従来から、日常的に、様々なシート状グッズが使用されている。例えば、神社や寺院に祈願するとき、あるいは、祈願した願いが叶ってその謝礼をするときに、神社や寺院に奉納するためのシート状グッズとして絵馬が使用される。また、自らの氏名や所属や連絡先などを示すときに、他人に渡すためのシート状グッズとして名刺が使用される。また、自らの氏名を示すときに、本人が着用等するシート状グッズとして名札が使用される。また、本のページに目印をつけるときに、読んでいるページに挟むためのシート状グッズとしてしおりが使用される。そして従来、これらのシート状グッズ（例えば絵馬）にも、種々の創意工夫が施されていた（例えば特許文献１、２参照）。
【先行技術文献】
【特許文献】
【０００３】
【特許文献１】特開２００４−１２１４８３号公報
【特許文献２】特開２００９−２６８７５８号公報
【発明の概要】
【発明が解決しようとする課題】
【０００４】
しかしながら、従来のシート状グッズの使用形態は一つに限られていた。
【０００５】
本発明は、上記の課題に鑑みてなされたもので、二つの使用形態（第１使用形態と第２使用形態）で使用することのできる紐付きシート状グッズを提供することを目的とする。
【課題を解決するための手段】
【０００６】
本発明の紐付きシート状グッズは、第１使用形態と第２使用形態とを有する紐付きシート状グッズであって、前記紐付きシート状グッズは、シート状の本体と、前記本体の複数の穴部に挿通される紐体とを備え、前記紐体を引っ張ることにより、前記第１使用形態から前記第２使用形態に変形可能である。
【０００７】
この構成によれば、紐付きシート状グッズを二つの使用形態（第１使用形態と第２使用形態）で使用することができる。この場合、紐付きシート状グッズを第１使用形態で使用しているときに、紐付きシート状グッズの紐体を引っ張ることによって、紐付きシート状グッズを第１使用形態から第２使用形態に変化させることができ、紐付きシート状グッズを第２使用形態で使用することができる。
【０００８】
また、本発明の紐付きシート状グッズでは、前記本体は、第１のシートと、前記第１のシートと対応する形状の第２のシートとで構成され、前記第１使用形態では、前記第１のシートの端部の内側面と前記第２のシートの端部の内側面が対向し、前記第２使用形態では、前記第１のシートの端部の外側面と前記第２のシートの端部の外側面が対向してもよい。
【０００９】
この構成によれば、紐付きシート状グッズの紐体を引っ張ることによって、二つのシート（第１のシートと第２のシート）で本体が構成される紐付きシート状グッズを、第１のシートの端部の内側面と第２のシートの端部の内側面が対向する第１使用形態から、第１のシートの端部の外側面と第２のシートの端部の外側面が対向する第２使用形態に変化させることができる。
【００１０】
また、本発明の紐付きシート状グッズでは、前記第１のシートの端部の一方の側には、第１の穴部が設けられ、前記第２のシートの端部の一方の側には、前記第１の穴部と対応する位置に第２の穴部が設けられ、前記第２のシートの端部の他方の側には、第３の穴部が設けられ、前記第１のシートの端部の他方の側には、前記第３の穴部と対応する位置に第４の穴部が設けられ、前記紐体は、前記第１使用形態において、前記第１の穴部で、前記第１のシートの端部の内側面から外側面へ挿通され、前記第２の穴部で、前記第２のシートの端部の外側面から内側面へ挿通され、前記第３の穴部で、前記第２のシートの端部の内側面から外側面へ挿通され、前記第４の穴部で、前記第１のシートの端部の外側面から内側面へ挿通されてもよい。
【００１１】
この構成によれば、第１使用形態において、紐体が、第１の穴部で、第１のシートの端部の内側面から外側面へ挿通され、第２の穴部で、第２のシートの端部の外側面から内側面へ挿通され、第３の穴部で、第２のシートの端部の内側面から外側面へ挿通され、第４の穴部で、第１のシートの端部の外側面から内側面へ挿通されているので、紐体を引っ張ることにより、紐付きシート状グッズを第１使用形態から第２使用形態に変化させることができる。
【００１２】
また、本発明の紐付きシート状グッズでは、前記第１のシートと前記第２のシートとは連結されており、前記第１使用形態では、前記本体が閉じた状態であり、前記第２使用形態では、前記本体が開いた状態であってもよい。
【００１３】
この構成によれば、紐付きシート状グッズの本体の第１のシートと第２のシートとが連結されており、紐体を引っ張ることによって、本体が閉じた状態の第１使用形態から、本体が開いた状態の第２使用形態に変化させることができる。
【００１４】
また、本発明の紐付きシート状グッズでは、前記第１使用形態では、前記本体が閉じた状態でのり付けで封止されており、前記第２使用形態では、前記封止が解除されて前記本体が開いた状態となってもよい。
【００１５】
この構成によれば、第１使用形態では、本体が閉じた状態でのり付けで封止されており、紐体を引っ張ることによって、封止が解除され、本体が開いた状態の第２使用形態に変化させることができる。
【００１６】
また、本発明の紐付きシート状グッズでは、前記本体は、折り畳み可能な底面部を備え、前記第１使用形態では、前記底面部は折り畳まれた状態となっており、前記第２使用形態では、前記底面部は平面的に展開された状態となってもよい。
【００１７】
この構成によれば、紐付きシート状グッズの本体が底面部を備えており、紐体を引っ張ることによって、底面部が折り畳まれた状態の第１使用形態から、底面部が平面的に展開された状態の第２使用形態に変化させることができる。
【００１８】
また、本発明の紐付きシート状グッズでは、前記本体は、折り畳み可能なポップアップ部を備え、前記第１使用形態では、前記ポップアップ部は折り畳まれた状態となっており、前記第２使用形態では、前記ポップアップ部は立体的に展開された状態となってもよい。
【００１９】
この構成によれば、紐付きシート状グッズの本体がポップアップ部を備えており、紐体を引っ張ることによって、ポップアップ部が折り畳まれた状態の第１使用形態から、ポップアップ部が立体的に展開された状態の第２使用形態に変化させることができる。
【発明の効果】
【００２０】
本発明によれば、紐付きシート状グッズを二つの使用形態（第１使用形態と第２使用形態）で使用することができる。
【図面の簡単な説明】
【００２１】
【図１】本発明の実施の形態における紐付きシート状グッズの平面図である。
【図２】本発明の実施の形態における紐付きシート状グッズ（第１使用形態）の斜視図である。
【図３】本発明の実施の形態における紐付きシート状グッズ（第２使用形態）の斜視図である。
【図４】他の実施の形態における紐付きシート状グッズの平面図である。
【図５】他の実施の形態における紐付きシート状グッズの平面図である。
【図６】他の実施の形態における紐付きシート状グッズの平面図である。
【図７】他の実施の形態における紐付きシート状グッズの平面図である。
【図８】他の実施の形態における紐付きシート状グッズの斜視図である。
【図９】他の実施の形態における紐付きシート状グッズの斜視図である。
【発明を実施するための形態】
【００２２】
以下、本発明の実施の形態の紐付きシート状グッズについて、図面を用いて説明する。本実施の形態では、例えば、絵馬、名刺、名札、しおり、箸入れ等に用いられる紐付きシート状グッズの場合を例示する。
【００２３】
本発明の実施の形態の紐付きシート状グッズの構成を、図面を参照して説明する。図１は、本実施の形態の紐付きシート状グッズを示す平面図である。図１に示すように、紐付きシート状グッズ１は、シート状の本体２と、本体２の複数の穴部３に挿通される紐体４を備えている。シート状の本体２は、燃焼性（燃やすことができる特性）・耐水性（水に強い特性）・筆記性（鉛筆やペンなどで文字等を書くことができる特性）・耐久性（破れにくい特性）を備えた材料（例えば、ストーンペーパーなど）で作られている。
【００２４】
この紐付きシート状グッズ１は、第１使用形態と第２使用形態を有しており、紐体４を引っ張ることにより、第１使用形態から第２使用形態に変形することができるように構成されている。図２は、本実施の形態の紐付きシート状グッズ１の第１使用形態を示す斜視図である。第１使用形態は、例えば、日常的な使用態様であり、図２の例では、紐付きシート状グッズ１の本体２が閉じた状態となっており、絵馬（あるいは、お札）として使用することができる。図３は、本実施の形態の紐付きシート状グッズ１の第２使用形態を示す斜視図である。第２使用形態は、例えば、非日常的な使用態様であり、図３の例では、紐付きシート状グッズ１の本体２が開いた状態となっており、ハート形の装飾品として使用することができる。
【００２５】
図１〜図３に示すように、紐付きシート状グッズ１の本体２は、長方形の形状を有する第１のシート２Ａと、第１のシート２Ａと対応する長方形の形状の第２のシート２Ｂとで構成されており、第１のシート２Ａと第２のシート２Ｂとは下部（図１における下部）で連結されている。なお、図１〜図３に示した例では、第１のシート２Ａと第２のシート２Ｂとは上部で連結されていないが、本発明の範囲はこれに限定されるものではなく、第１のシート２Ａと第２のシート２Ｂとが上部で連結されていてもよい。
【００２６】
そして、第１のシート２Ａの端部の一方の側には、第１の穴部３Ａが設けられ、第２のシート２Ｂの端部の一方の側には、第１の穴部３Ａと対応する位置に第２の穴部３Ｂが設けられている。また、第２のシート２Ｂの端部の他方の側には、第３の穴部３Ｃが設けられ、第１のシート２Ａの端部の他方の側には、第３の穴部３Ｃと対応する位置に第４の穴部３Ｄが設けられている。
【００２７】
この紐付きシート状グッズ１（第１使用形態の状態）では、紐体４が、第１の穴部３Ａで、第１のシート２Ａの端部の内側面から外側面へ挿通され、第２の穴部３Ｂで、第２のシート２Ｂの端部の外側面から内側面へ挿通され、さらに、第３の穴部３Ｃで、第２のシート２Ｂの端部の内側面から外側面へ挿通され、第４の穴部３Ｄで、第１のシート２Ａの端部の外側面から内側面へ挿通されている（図２参照）。
【００２８】
このように挿通した紐体４を両側から引っ張ると、紐付きシート状グッズ１は、第１使用形態（第１のシート２Ａの端部の内側面と第２のシート２Ｂの端部の内側面が対向した状態）から、第２使用形態（第１のシート２Ａの端部の外側面と第２のシート２Ｂの端部の外側面が対向した状態）に変形する。
【００２９】
このような本実施の形態の紐付きシート状グッズ１によれば、紐付きシート状グッズ１を二つの使用形態（第１使用形態と第２使用形態）で使用することができる。この場合、紐付きシート状グッズ１を第１使用形態で使用しているときに、紐付きシート状グッズ１の紐体４を両側から引っ張ることによって、紐付きシート状グッズ１を第１使用形態から第２使用形態に変化させることができ、紐付きシート状グッズ１を第２使用形態で使用することができる。
【００３０】
本実施の形態では、紐付きシート状グッズ１の紐体４を引っ張ることによって、二つのシート（第１のシート２Ａと第２のシート２Ｂ）で本体２が構成される紐付きシート状グッズ１を、第１のシート２Ａの端部の内側面と第２のシート２Ｂの端部の内側面が対向する第１使用形態から、第１のシート２Ａの端部の外側面と第２のシート２Ｂの端部の外側面が対向する第２使用形態に変化させることができる。
【００３１】
また、本実施の形態では、第１使用形態において、紐体４が、第１の穴部３Ａで、第１のシート２Ａの端部の内側面から外側面へ挿通され、第２の穴部３Ｂで、第２のシート２Ｂの端部の外側面から内側面へ挿通され、第３の穴部３Ｃで、第２のシート２Ｂの端部の内側面から外側面へ挿通され、第４の穴部３Ｄで、第１のシート２Ａの端部の外側面から内側面へ挿通されているので、紐体４を引っ張ることにより、紐付きシート状グッズ１を第１使用形態から第２使用形態に変化させることができる。
【００３２】
また、本実施の形態では、紐付きシート状グッズ１の本体２の第１のシート２Ａと第２のシート２Ｂとが連結されており、紐体４を引っ張ることによって、本体２が閉じた状態の第１使用形態から、本体２が開いた状態の第２使用形態に変化させることができる。
【００３３】
以上、本発明の実施の形態を例示により説明したが、本発明の範囲はこれらに限定されるものではなく、請求項に記載された範囲内において目的に応じて変更・変形することが可能である。
【００３４】
例えば、以上の説明では、シート状の本体２に２つの穴部３（すなわち、第１のシート２Ａと第２のシート２Ｂにそれぞれ２つの穴部３）を設ける場合について説明したが、本発明の範囲はこれに限定されず、シート状の本体２に３つ以上の穴部（すなわち、第１のシート２Ａと第２のシート２Ｂにそれぞれ３つ以上の穴部３）を設けても同様に実施可能である。例えば、図４（ａ）に示すように、シート状の本体２に３つの穴部３を設けてもよく、図４（ｂ）に示すように、シート状の本体２に４つの穴部３を設けてもよく、図４（ｃ）に示すように、シート状の本体２に５つの穴部３を設けてもよい。さらに、ここでは図示を省略するが、シート状の本体２に６つ以上の穴部３を設けてもよい。
【００３５】
また、以上の説明では、本体２（第１のシート２Ａと第２のシート２Ｂ）の形状が、長方形である場合について説明したが、本発明の範囲はこれに限定されない。図５（ａ）に示すように、本体２（第１のシート２Ａと第２のシート２Ｂ）の形状は、円形であってもよく、図５（ｂ）に示すように、本体２（第１のシート２Ａと第２のシート２Ｂ）の形状は、正方形であってもよく、図５（ｃ）に示すように、本体２（第１のシート２Ａと第２のシート２Ｂ）の形状は、三角形であってもよく、図５（ｄ）に示すように、本体２（第１のシート２Ａと第２のシート２Ｂ）の形状は、山型であってもよい。
【００３６】
また、図６（ａ）に示すように、本体２（第１のシート２Ａと第２のシート２Ｂ）の形状は、五角形であってもよく、図６（ｂ）に示すように、本体２（第１のシート２Ａと第２のシート２Ｂ）の形状は、星型であってもよく、図６（ｃ）に示すように、本体２（第１のシート２Ａと第２のシート２Ｂ）の形状は、六角形であってもよく、図６（ｄ）に示すように、本体２（第１のシート２Ａと第２のシート２Ｂ）の形状は、花型であってもよい。
【００３７】
さらに、図７に示すように、第１使用形態では、本体２が閉じた状態で、本体２（第１のシート２Ａと第２のシート２Ｂ）の左右両側の辺部の内側面がのり付け（図７においてハッチングで図示）で封止されてもよい。この場合には、紐体４を引っ張ることによって、封止が解除され、本体２が開いた状態の第２使用形態に変化させることができる。
【００３８】
また、図８に示すように、本体２は、折り畳み可能な底面部５を備えもよい。この場合、底面部５は、第１使用形態では、折り畳まれた状態で本体２の内部に収納されている。そして、紐体４を引っ張ることによって、底面部５が折り畳まれた状態の第１使用形態から、底面部５が平面的に展開された状態の第２使用形態に変化させることができる。
【００３９】
さらに、図９に示すように、本体２は、折り畳み可能なポップアップ部６を備えてもよい。この場合、ポップアップ部６は、第１使用形態では、折り畳まれた状態で本体２の内部に収納されている。そして、紐体４を引っ張ることによって、ポップアップ部６が折り畳まれた状態の第１使用形態から、ポップアップ部６が立体的に展開された状態の第２使用形態に変化させることができる。
【産業上の利用可能性】
【００４０】
以上のように、本発明にかかる紐付きシート状グッズは、二つの使用形態（第１使用形態と第２使用形態）で使用することができるという効果を有し、例えば、他の使用形態を有する絵馬、名刺、名札、しおり、箸入れ等として用いられ、有用である。
【符号の説明】
【００４１】
１  紐付きシート状グッズ
２  本体
２Ａ  第１のシート
２Ｂ  第２のシート
３  穴部
３Ａ  第１の穴部
３Ｂ  第２の穴部
３Ｃ  第３の穴部
３Ｄ  第４の穴部
４  紐体
５  底面部
６  ポップアップ部
【図１】
0006706540.tif 000002
【図２】
0006706540.tif 000003
【図３】
0006706540.tif 000004
【図４】
0006706540.tif 000005
【図５】
0006706540.tif 000006
【図６】
0006706540.tif 000007
【図７】
0006706540.tif 000008
【図８】
0006706540.tif 000009
【図９】
0006706540.tif 000010